(57)【要約】【課題】  本発明は、比較的簡単な作業により水処理用カートリッジを交換することができるうえ、水漏れの防止や水処理用カートリッジの抜け止めを図ることができる新規な水処理装置及び水処理用カートリッジを提供することを目的とする。【解決手段】  水処理装置本体及び交換可能な水処理用カートリッジからなる水処理装置における前記水処理用カートリッジの一端部に被処理水を該カートリッジ内に導入する導入口、及び該カートリッジ内で処理された処理水を該カートリッジ外に送り出す吐水口を設け、前記導入口及び吐水口が設けられた水処理用カートリッジの端部を、前記水処理装置本体に対して略下方向に向かって差し込むと共に、前記導入口及び吐水口を、水処理装置本体に設けられた導入口受部及び吐水口受部に夫々嵌合することにより、前記水処理装置本体に前記水処理用カートリッジを取り付けることを特徴とする水処理装置。【選択図】  図１
2009066580.tif 000002
【特許請求の範囲】
【請求項１】
被処理水を通液することにより、該被処理水を処理するための水処理装置であって、
該水処理装置は、水処理装置本体及び交換可能な水処理用カートリッジからなり、
前記水処理用カートリッジの一端部には、被処理水を該カートリッジ内に導入する導入口、及び該カートリッジ内で処理された処理水を該カートリッジ外に送り出す吐水口を設け、
前記導入口及び吐水口が設けられた水処理用カートリッジの端部を、前記水処理装置本体に対して略下方向に向かって差し込むと共に、
前記導入口及び吐水口を、水処理装置本体に設けられた導入口受部及び吐水口受部に夫々嵌合することにより、
前記水処理装置本体に前記水処理用カートリッジを取り付けることを特徴とする水処理装置。
【請求項２】
導入口及び吐水口と、導入口受部及び吐水口受部との嵌合にあたり、シール部材を介在させて漏水防止を図ると共に、該シール部材の摩擦力により、水処理用カートリッジの抜け止めを図る請求項１に記載の水処理装置。
【請求項３】
導入口の内径より吐水口の内径を大きくすることにより、水処理用カートリッジの抜け止めを図る請求項１又は２に記載の水処理装置。
【請求項４】
減圧弁を備え付けることにより、水処理用カートリッジの抜け止めを図る請求項１ないし３のいずれか１項に記載の水処理装置。
【請求項５】
カートリッジ保持具を備え付けることにより、水処理用カートリッジの抜け止めを図る請求項１ないし４のいずれか１項に記載の水処理装置。
【請求項６】
請求項１ないし５のいずれか１項に記載の水処理装置に備えられることを特徴とする水処理用カートリッジ。
【発明の詳細な説明】
【技術分野】
【０００１】
本発明は、被処理水を通液することにより、該被処理水を処理するための水処理装置、及びこの水処理装置に備えられる水処理用カートリッジに関する。
【背景技術】
【０００２】
上水道として供給される水道水には、通常、塩素や硬度成分等が含まれているが、これらの成分は、水道水の飲用にあたって不快な臭いを与えたり、肌荒れやアトピー性皮膚炎等の原因となったりしている。そのため、最近の一般家庭においては、供給される水道水をそのまま利用する他に、所望に応じて、水道水を各種水処理装置に通液した上で、処理後の水を適宜利用することが極普通の利用形態となってきている。
【０００３】
このような水処理装置としては、例えば、活性炭に塩素成分を吸着させる浄水装置や、イオン交換樹脂に硬度成分を吸着させる軟水化装置等を挙げることができる。
【０００４】
しかしながら、現在利用されている水処理装置は、水道水に含まれる各種成分を活性炭やイオン交換樹脂などの各種処理材に吸着させて処理するものがほとんどであることから、処理量に応じて処理材の処理能が徐々に低下する。そのため、一定期間使用後は、当該処理材を交換する必要が生じる。
【０００５】
最近では、この処理材の交換を簡易に行えるよう、処理材をカートリッジに充填し、このカートリッジごと処理材を交換するように設計したカートリッジ式の水処理装置が開発されている（例えば、下記特許文献１参照。）
【０００６】
【特許文献１】特開２００３−８８８６２号公報
【発明の開示】
【発明が解決しようとする課題】
【０００７】
このような、従来のカートリッジ式の水処理装置においては、カートリッジと水処理装置本体との係合部から水漏れが生じたり、カートリッジが抜けたりすることを防止するため、カートリッジと水処理装置本体との係合にあたり、螺合式の係合手段が採られていた。
【０００８】
しかしながら、螺合式の係合手段を採用したカートリッジ式の水処理装置においては、カートリッジを係合するためにカートリッジを何回も回転させる作業が必要であり、特に、軟水化装置のようなカートリッジが比較的大型になる水処理装置にあっては、交換作業に多大な労力を要するといった問題があった。
【０００９】
そこで、本発明者は、このような問題を解決すべく鋭意検討を重ねた結果、この種カートリッジ式の水処理装置における水処理用カートリッジの一端部に、被処理水を該カートリッジ内に導入する導入口、及び該カートリッジ内で処理された処理水を該カートリッジ外に送り出す吐水口を設け、前記導入口及び吐水口が設けられた水処理用カートリッジの端部を、前記水処理装置本体に対して略下方向に向かって差し込むと共に、前記導入口及び吐水口を、水処理装置本体に設けられた導入口受部及び吐水口受部に夫々嵌合することにより、前記水処理装置本体に前記水処理用カートリッジを取り付けることを特徴とする本発明の水処理装置を完成するに至ったのである。
【００１０】
即ち、本発明者は、この種カートリッジ式の水処理装置における水処理用カートリッジの一端部に導入口及び吐水口を設け、前記導入口及び吐水口が設けられた水処理用カートリッジの端部を、前記水処理装置本体に対して略下方向に向かって差し込むと共に、前記導入口及び吐水口を、水処理装置本体に設けられた導入口受部及び吐水口受部に夫々嵌合するように構成すれば、水処理用カートリッジの交換にあたって該カートリッジの着脱が至極容易になるうえ、水処理用カートリッジ自体の重量により、水処理装置本体に対する水処理用カートリッジの嵌合が強固になり、もって、水漏れの防止や水処理用カートリッジの抜け止めを図ることができるとの知見を得たのである。
【００１１】
本発明は、上記知見に基づき完成されたものであり、比較的簡単な作業により水処理用カートリッジを交換することができるうえ、水漏れの防止や水処理用カートリッジの抜け止めを図ることができる新規な水処理装置及びこの水処理装置に備えられる水処理用カートリッジを提供することを目的とする。
【課題を解決するための手段】
【００１２】
以上の課題を解決する手段である本発明の水処理装置は、被処理水を通液することにより、該被処理水を処理するための水処理装置であって、該水処理装置は、水処理装置本体及び交換可能な水処理用カートリッジからなり、前記水処理用カートリッジの一端部には、被処理水を該カートリッジ内に導入する導入口、及び該カートリッジ内で処理された処理水を該カートリッジ外に送り出す吐水口を設け、前記導入口及び吐水口が設けられた水処理用カートリッジの端部を、前記水処理装置本体に対して略下方向に向かって差し込むと共に、前記導入口及び吐水口を、水処理装置本体に設けられた導入口受部及び吐水口受部に夫々嵌合することにより、前記水処理装置本体に前記水処理用カートリッジを取り付けることを特徴とする。
【００１３】
又、本発明の水処理用カートリッジは、前記本発明の水処理装置に備えられることを特徴とする。以下、本発明の水処理装置及び水処理用カートリッジについて順に詳細に説明する。
【００１４】
本発明の水処理装置は、被処理水を通液することにより、該被処理水を目的に応じた処理水に処理するための装置である。更に詳しくは、上水道として供給される水道水や、井戸水、湧水等を主な被処理水とし、この被処理水を、各種処理材を充填ないし配置した水処理用カートリッジ内に通液することにより、処理材に応じた処理水を生成する装置である。
【００１５】
なお、前記処理材としては、特に限定されるものではなく、又、該被処理水に含まれる塩素や不純物或いは硬度成分などの各種成分を「除去」するもののみに限られるものでもない。即ち、被処理水と接触することにより、ミネラルなどの成分を「付与」したり、被処理水の特性を「変化」させたりするものであっても良いのである。このような処理材の具体的な例としては、活性炭、シリカゲル、ゼオライト等の吸着剤や、多孔質フィルタ、トルマリン、イオン交換樹脂、トルマリン、レアアース鉱石、磁石等を挙げることができる。
【００１６】
本発明の水処理装置は、「水処理装置本体」、及び前記処理材から選ばれた少なくとも１種以上を充填した「水処理用カートリッジ」からなる。
【００１７】
即ち、本発明の水処理装置は、交換可能な水処理用カートリッジを水処理装置本体に装着して使用するものであり、一定期間或いは一定量の使用により水処理用カートリッジ内の処理材が劣化してその処理能が低下した場合に、水処理用カートリッジごと処理材を更新するカートリッジ式の水処理装置である。
【００１８】
そして、本発明の水処理装置においては、前記水処理用カートリッジの一端部に、被処理水を該カートリッジ内に導入する導入口、及び該カートリッジ内で処理された処理水を該カートリッジ外に送り出す吐水口を設け、前記導入口及び吐水口が設けられた水処理用カートリッジの端部を、前記水処理装置本体に対して略下方向に向かって差し込むと共に、前記導入口及び吐水口を、水処理装置本体に設けられた導入口受部及び吐水口受部に夫々嵌合することにより、前記水処理装置本体に前記水処理用カートリッジを取り付ける点に最も大きな特徴を有する。
【００１９】
即ち、本発明の水処理装置は、前記水処理装置本体に対する前記水処理用カートリッジの取り付けにつき、前記導入口及び吐水口が設けられた水処理用カートリッジの一端部を、前記水処理装置本体に対して略下方向に向かって差し込むと共に、前記導入口及び吐水口を、水処理装置本体に設けられた導入口受部及び吐水口受部に夫々嵌合するように構成しているから、水処理用カートリッジの交換にあたって該カートリッジの着脱が至極容易になるうえ、水処理用カートリッジの自重（通液後の重量）により、水処理装置本体に対する水処理用カートリッジの嵌合が強固になり、もって、水漏れの防止や水処理用カートリッジの抜け止めを図ることができるのである。
【００２０】
更に詳しくは、水処理用カートリッジには、被処理水を該カートリッジ内に導入する導入口、及び該カートリッジ内で処理された処理水を該カートリッジ外に送り出す吐水口が必要であり、本発明においては、これら導入口及び吐水口を該カートリッジの一端部に並べて設けたり、略同心円状に重ねて設けたりする。
【００２１】
そして、前記導入口及び吐水口が設けられた水処理用カートリッジの一端部を、前記水処理装置本体に対して略下方向に向かって差し込み、前記導入口及び吐水口を、水処理装置本体に設けられた導入口受部及び吐水口受部に夫々嵌合するように構成しているから、水処理用カートリッジの交換の際に、該カートリッジを回転させたりすることなく、抜き差しするだけで簡単に水処理用カートリッジを交換することができるのである。
【００２２】
又、水処理装置の使用中、水処理用カートリッジの自重が、前記導入口及び吐水口と導入口受部及び吐水口受部の嵌合する部位に集中して掛かるため、水処理装置本体に対する水処理用カートリッジの嵌合が強固になり、もって、水漏れの防止や水処理用カートリッジの抜け止めを図ることができるのである。このことは、軟水化装置のようなカートリッジが比較的大型になる水処理装置において、特に効果的となる。
【００２３】
なお、本発明において、前記「略下方向」との表現は、必ずしも厳密に垂直下方向に水処理用カートリッジを差し込む場合のみに限られるものではなく、多少の角度のついた方向から差し込むように設計しても良いことを意味する。
【００２４】
特に、斜め下方向に向かって差し込むように設計すれば、水処理装置の上部に、水処理用カートリッジを抜き差しするに充分なスペースが確保できない場合に対応することができるのである。但し、余りにも水処理用カートリッジの差込方向が傾いていると、水処理用カートリッジの重量を充分に利用することができなくなることから、本発明においては、垂直方向から４５度程度の傾きまでとすることが一般的となる。
【００２５】
又、本発明においては、水処理用カートリッジの差し込み方向が如何なる方向であっても、水処理装置本体に差し込むことにより、ないしは差し込んだ後に、水処理用カートリッジが立ち上がって、水処理装置本体に対して略下方向に向くように設計しても良い。即ち、本発明において「略下方向」とは、水処理装置本体に水処理用カートリッジを差し込んで、導入口及び吐水口を導入口受部及び吐水口受部に夫々嵌合した状態において、水処理用カートリッジの装着角度が、水処理装置本体に対し、垂直方向から４５度程度の傾き以内となっていれば良いことを意味するのである。
【００２６】
本発明において、前記「嵌合」とは、導入口及び吐水口をそれぞれペアとなる導入口受部及び吐水口受部と嵌め合わせることをいう。このことは、導入口及び吐水口を雄型、導入口受部及び吐水口受部を雌型とする場合に限られず、導入口及び吐水口を雌型、導入口受部及び吐水口受部を雄型としても良い。又、導入口と吐水口がそれぞれ別個に雄型と雌型を構成し、各々ペアとなる導入口受部及び吐水口受部に嵌合する場合も含まれる。
【００２７】
特に、導入口と吐水口がそれぞれ別個に雄型と雌型を構成し、各々ペアとなる導入口受部及び吐水口受部に嵌合する構成においては、水処理用カートリッジの取り付けに際し、間違いが起こり難くなるといった利点が生じるのである。
【００２８】
又、導入口及び吐水口と、導入口受部及び吐水口受部との嵌合にあたり、Ｏ−リングなどのシール部材を介在させて、嵌合部の隙間を弾性的に填補するようにすれば、一層の漏水防止を図れる上、該シール部材の摩擦力により、水処理用カートリッジの抜け止めを図ることが可能になる。
【００２９】
更に、導入口の内径より吐水口の内径を大きくすると、水処理用カートリッジ内から処理水の吐水が速やかになり、水処理用カートリッジに掛かる水圧が減じられることから、水処理用カートリッジの抜け止めをより一層図ることが可能になる。
【００３０】
ところで、本発明の水処理装置は、水処理用カートリッジの自重により、該カートリッジの抜け止めを図るものであるが、必ずしもその他の補助的な手段を併用することを否定するものではない。
【００３１】
具体的に例えば、水処理装置本体に減圧弁を備え付けて、水処理用カートリッジに掛かる水圧を調整することによって、水処理用カートリッジの抜け止めを一層図っても良いのである。
【００３２】
又、水処理カートリッジを押さえつける蓋や爪、ウェイトその他のカートリッジ保持具を備え付けることにより、水処理用カートリッジを物理的に固定して、水処理用カートリッジの抜け止めを一層図っても良いのである。
【００３３】
本発明の水処理用カートリッジは、前記本発明の水処理装置に備えられることを特徴とするものであり、前記本発明の水処理装置の説明において充分に説明していることから、繰り返しを避けるべく、ここでは説明を省略する。
【発明の効果】
【００３４】
本発明は、前記構成を有し、比較的簡単な作業により水処理用カートリッジを交換することができるうえ、水漏れの防止や水処理用カートリッジの抜け止めを図ることができる新規な水処理装置及びこの水処理装置に備えられる水処理用カートリッジである。
【００３５】
即ち、本発明の水処理装置は、水処理用カートリッジの一端部に導入口及び吐水口を設け、前記導入口及び吐水口が設けられた本発明の水処理用カートリッジの一端部を、前記水処理装置本体に対して略下方向に向かって差し込むと共に、前記導入口及び吐水口を、水処理装置本体に設けられた導入口受部及び吐水口受部に夫々嵌合するように構成しているから、水処理用カートリッジの交換にあたって該カートリッジの着脱が至極容易になるうえ、水処理用カートリッジ自体の重量により、水処理装置本体に対する水処理用カートリッジの嵌合が強固になり、もって、水漏れの防止や水処理用カートリッジの抜け止めを図ることができるのである。
【発明を実施するための最良の形態】
【００３６】
以下、本発明の水処理装置及びこの水処理装置に備えられる水処理用カートリッジを実施するための最良の形態を説明する。但し、本発明はこの形態に限定されるものではない。
【実施例１】
【００３７】
図１は、実施例１に係る本発明の水処理装置１における水処理用カートリッジの取付け状態を示す模式図であり、図２は、その断面図（（ａ）取付け前、（ｂ）取付け後）である。この水処理装置１は、水処理装置本体２及び（本発明の）水処理用カートリッジ３、及びカートリッジ保持具４としての蓋からなる。
【００３８】
更に詳しくは、本実施例に係る水処理装置１は、イオン交換樹脂３３を充填した交換可能な水処理用カートリッジ３を水処理装置本体２に装着して使用する軟水化装置である。即ち、この水処理装置１は、補水管２３から水処理装置本体２に導入される被処理水ＷＯを水処理用カートリッジ３内に通液し、該カートリッジ３内で前記被処理水ＷＯをイオン交換樹脂３３と接触させて、処理水Ｗ１としての軟水を生成し、供水管２４から所定箇所（図示せず）に処理水Ｗ１を供給するものである。
【００３９】
そして、本実施例に係る水処理装置１においては、前記水処理用カートリッジ３の一端部に、被処理水ＷＯを該カートリッジ３内に導入する導入口３１、及び該カートリッジ３内で処理された処理水Ｗ１を該カートリッジ３外に送り出す吐水口３２を並べて設け、一方、水処理装置本体２には、前記導入口３１及び吐水口３２とそれぞれペアになって嵌合する導入口受部２１及び吐水口受部２２を設けている。
【００４０】
図１及び図２に示すように、本実施例に係る水処理装置１は、前記水処理装置本体２に対する前記水処理用カートリッジ３の取り付けにつき、前記導入口３１及び吐水口３２が設けられた水処理用カートリッジ３の一端部を、前記水処理装置本体２に対して略下方向に向かって差し込むと共に、前記導入口３１及び吐水口３２を、水処理装置本体２に設けられた導入口受部２１及び吐水口受部２２に夫々嵌合するように構成している。そのため、本実施例に係る水処理装置１においては、水処理用カートリッジ３の交換につき、該カートリッジ３を抜き差しするだけの簡単な作業で行うことができ、しかも、水処理用カートリッジ３の自重（通液後の重量）により、水処理装置本体２に対する水処理用カートリッジ３の嵌合が強固になり、もって、水漏れの防止や水処理用カートリッジ３の抜け止めを図ることができるのである。
【００４１】
又、本実施例においては、導入口３１及び吐水口３２と、導入口受部２１及び吐水口受部２２との嵌合にあたり、シール部材３４としてのＯ−リングを介在させて、嵌合部の隙間を弾性的に填補している。そのため、一層の漏水防止が図れる上、該シール部材３４の摩擦力により、水処理用カートリッジ２の抜け止めを一層図ることができるのである。
【００４２】
更に、本実施例においては、導入口３１の内径より吐水口３２の内径を大きくし、水処理用カートリッジ３内からの処理水Ｗ１の吐水が速やかになるようにしている。そのため、水処理用カートリッジ３に掛かる水圧を減じることができ、もって、水処理用カートリッジの抜け止めをより一層図ることができるのである。
【００４３】
加えて、本実施例においては、水処理カートリッジ３の一次側に減圧弁５が備えられており、この減圧弁５により導入される被処理水ＷＯの水圧を調整することによっても、水処理用カートリッジ３の抜け止めを図ることができるのである。
【実施例２】
【００４４】
図３は、実施例２に係る本発明の水処理装置１における水処理用カートリッジの取付け状態を示す断面図（（ａ）取付け前、（ｂ）取付け後）であり、この水処理装置１は、水処理装置本体２（全体を図示せず。）及び（本発明の）水処理用カートリッジ３、及びカートリッジ保持具４としての蓋からなる。
【００４５】
更に詳しくは、本実施例に係る水処理装置１は、イオン交換樹脂３３を充填した交換可能な水処理用カートリッジ３を水処理装置本体２に装着して使用する軟水化装置である。即ち、この水処理装置１は、実施例１において説明したものと同様、補水管２３から水処理装置本体２に導入される被処理水ＷＯを水処理用カートリッジ３内に通液し、該カートリッジ３内で前記被処理水ＷＯをイオン交換樹脂３３と接触させて、処理水Ｗ１としての軟水を生成し、供水管２４から所定箇所に処理水Ｗ１を供給するものである。
【００４６】
そして、本実施例に係る水処理装置１においては、前記水処理用カートリッジ３の一端部に、被処理水ＷＯを該カートリッジ３内に導入する導入口３１、及び該カートリッジ３内で処理された処理水Ｗ１を該カートリッジ３外に送り出す吐水口３２を同心円状に重ねて設け、一方、水処理装置本体２には、前記導入口３２及び吐水口３３とそれぞれペアになって嵌合する導入口受部２１及び吐水口受部２２を設けている。
【００４７】
即ち、本実施例に水処理装置１は、水処理用カートリッジ３の一端に導入口３１及び吐水口３２を同心円状に重ねて設けているから、水処理用カートリッジ３の取り付けに際しての方向性の確認が不要となるといった利点が生じる。
【００４８】
その余は、前記実施例１と同様であり、繰り返しを避けるためここでは説明を省略する。
【実施例３】
【００４９】
図４は、実施例３に係る本発明の水処理装置１における水処理用カートリッジの取付け状態を示す断面図（（ａ）取付け前、（ｂ）取付け後）であり、この水処理装置１は、水処理装置本体２（全体を図示せず。）及び（本発明の）水処理用カートリッジ３、及びカートリッジ保持具４としての蓋からなる。
【００５０】
更に詳しくは、本実施例に係る水処理装置１は、イオン交換樹脂３３を充填した交換可能な水処理用カートリッジ３を水処理装置本体２に装着して使用する軟水化装置である。即ち、この水処理装置１は、実施例１のものと同様、補水管２３から水処理装置本体２に導入される被処理水ＷＯを水処理用カートリッジ３内に通液し、該カートリッジ３内で前記被処理水ＷＯをイオン交換樹脂３３と接触させて、処理水Ｗ１としての軟水を生成し、供水管２４から所定箇所に処理水Ｗ１を供給するものである。
【００５１】
そして、本実施例に係る水処理装置１においては、前記水処理用カートリッジ３の一端部に、被処理水ＷＯを該カートリッジ３内に導入する導入口３１、及び該カートリッジ３内で処理された処理水Ｗ１を該カートリッジ３外に送り出す吐水口３２を並べて設け、一方、水処理装置本体２には、前記導入口３２及び吐水口３３とそれぞれペアになって嵌合する導入口受部２１及び吐水口受部２２を設けている。
【００５２】
特に、本実施例に係る水処理装置１においては、前記導入口３１と吐水口３２がそれぞれ別個に雌型と雄型を構成し、各々ペアとなる導入口受部２１及び吐水口受部２２に嵌合する構成としているから、水処理用カートリッジ３の取り付けに際し、間違いが起こり難くなるといった利点が生じる。
【００５３】
その余は、前記実施例１と同様であり、繰り返しを避けるためここでは説明を省略する。
【実施例４】
【００５４】
図４は、実施例４に係る本発明の水処理装置１における水処理用カートリッジ３の取付け状態を示す模式図であり、この水処理装置１は、水処理装置本体２及び（本発明の）水処理用カートリッジ３からなる。
【００５５】
特に、本実施例に係る水処理装置１においては、前記水処理装置本体２に対する前記水処理用カートリッジ３の取り付けにつき、水処理装置本体２における側面カバー２５が開くことにより、水処理用カートリッジを斜め下方向に向かって差し込めるように設計している。
【００５６】
そして、側面カバーを閉めることにより、斜め方向から差し込んだ水処理用カートリッジが立ち上がって、導入口３１と吐水口３２が、各々ペアとなる導入口受部２１及び吐水口受部２２に嵌合する仕組みとなっている。
【００５７】
これより、水処理装置１の上部に、水処理用カートリッジ３を抜き差しするに充分なスペースが確保できない場合にも対応することができるのである。
【図面の簡単な説明】
【００５８】
【図１】図１は、実施例１に係る本発明の水処理装置における水処理用カートリッジの取付け状態を示す模式図である。
【図２】図２は、実施例１に係る本発明の水処理装置における水処理用カートリッジの取付け状態を示す断面図である。
【図３】図３は、実施例２に係る本発明の水処理装置における水処理用カートリッジの取付け状態を示す断面図である。
【図４】図４は、実施例３に係る本発明の水処理装置における水処理用カートリッジの取付け状態を示す断面図である。
【図５】図５は、実施例４に係る本発明の水処理装置における水処理用カートリッジの取付け状態を示す模式図である。
【符号の説明】
【００５９】
１  水処理装置
２  水処理装置本体
３  水処理用カートリッジ
４  蓋
５  減圧弁
【図１】
2009066580.tif 000003
【図２】
2009066580.tif 000004
【図３】
2009066580.tif 000005
【図４】
2009066580.tif 000006
【図５】
2009066580.tif 000007